(57)【要約】【課題】本発明は、天井側遮蔽部材と床側遮蔽部材と側壁面側遮蔽部材とを容易に連動でき、迅速な遮蔽作動が可能な軽量・薄型の移動間仕切り壁を提供する。【解決手段】移動壁本体１Ａの上端縁部１ａに上下移動可能に設けられ上端縁部１ａと室内の天井12の間を遮蔽するための天井側遮蔽部材２と、移動壁本体１Ａの下端縁部１ｂに上下移動可能に設けられ下端縁部１ｂと室内の床13の間を遮蔽するための床側遮蔽部材３と、移動壁本体１Ａの左右一方の側端縁部１ｄに左右移動可能に設けられ側端縁部１ｄと室内の左右一方の側壁面15の間を遮蔽するための側壁面側遮蔽部材５と、を備え、天井側遮蔽部材２と床側遮蔽部材３と側壁面側遮蔽部材５とを、ラック・ピニオン機構６にて連動連結したものである。【選択図】図２
2014101657.tif 000002
【特許請求の範囲】
【請求項１】
移動壁本体（１Ａ）の上端縁部（１ａ）に上下移動可能に設けられ該上端縁部（１ａ）と室内の天井（12）の間を遮蔽するための天井側遮蔽部材（２）と、上記移動壁本体（１Ａ）の下端縁部（１ｂ）に上下移動可能に設けられ該下端縁部（１ｂ）と室内の床（13）の間を遮蔽するための床側遮蔽部材（３）と、上記移動壁本体（１Ａ）の左右一方の側端縁部（１ｄ）に左右移動可能に設けられ該側端縁部（１ｄ）と室内の左右一方の側壁面（15）の間を遮蔽するための側壁面側遮蔽部材（５）と、を備え、
上記天井側遮蔽部材（２）と上記床側遮蔽部材（３）と上記側壁面側遮蔽部材（５）とを、ラック・ピニオン機構（６）にて連動連結したことを特徴とする移動間仕切り壁。
【請求項２】
上記側壁面側遮蔽部材（５）の側方移動寸法（Ｓ５）よりも上記天井側遮蔽部材（２）の上方移動寸法（Ｓ２）を大きく設定し、該上方移動寸法（Ｓ２）よりも上記床側遮蔽部材（３）の下方移動寸法（Ｓ３）を大きく設定して、
上記側壁面側遮蔽部材（５）が上記一方の側壁面（15）に当接した後に、上記天井側遮蔽部材（２）が上記天井（12）に当接し、その後、上記床側遮蔽部材（３）が上記床（13）に当接するように構成した請求項１記載の移動間仕切り壁。
【請求項３】
上記側壁面側遮蔽部材（５）が上記一方の側壁面（15）に当接した後に上記ラック・ピニオン機構（６）の作動による該側壁面側遮蔽部材（５）への移動ストロークを吸収する側方ストローク吸収手段（７）と、上記天井側遮蔽部材（２）が上記天井（12）に当接した後に上記ラック・ピニオン機構（６）の作動による該天井側遮蔽部材（２）への移動ストロークを吸収する上方ストローク吸収手段（８）と、を備えた請求項２記載の移動間仕切り壁。
【請求項４】
上記天井側遮蔽部材（２）と上記床側遮蔽部材（３）と上記側壁面側遮蔽部材（５）とを上記ラック・ピニオン機構（６）を介して上記移動壁本体（１Ａ）の外方へ弾発付勢する作動用弾発付勢部材（60）と、該作動用弾発付勢部材（60）の弾発力による上記ラック・ピニオン機構（６）の作動を阻止するロック手段（９）と、を備え、
上記ロック手段（９）の解除にて、上記天井側遮蔽部材（２）と上記床側遮蔽部材（３）と上記側壁面側遮蔽部材（５）とが上記作動用弾発付勢部材（60）によって上記外方へ移動するように構成した請求項１，２又は３記載の移動間仕切り壁。
【発明の詳細な説明】
【技術分野】
【０００１】
本発明は、移動間仕切り壁に関する。
【背景技術】
【０００２】
従来、移動間仕切り壁は、天井側に設けられたガイドレールに沿って走行する複数枚の移動壁本体を備え、複数枚の移動壁本体を平面視で一直線状に並べて、間仕切りを行なうものがあった（例えば、特許文献１参照）。そして、展示場や美術館等の室内を間仕切りする際に、光や音が、移動壁本体と天井の間や、床との間や、柱や壁等の側壁面との間から、漏れるのを防止するために、移動壁本体に可動式の遮蔽部材を設けたものがあった。
【先行技術文献】
【特許文献】
【０００３】
【特許文献１】特開平４−７０４８３号公報
【発明の概要】
【発明が解決しようとする課題】
【０００４】
しかし、天井との間を遮蔽する天井側遮蔽部材と、床との間を遮蔽する床側遮蔽部材と、側壁面との間を遮蔽する側壁面側遮蔽部材と、を個別に操作すると遮蔽作業に時間がかかるといった問題があった。また、各遮蔽部材に対応する電動モータやセンサを設けて電気制御を行なうと、配線等構造が複雑になって容易に製造できないといった問題や、移動壁本体の厚みや重量が大きくなって使い勝手が悪くなるといった問題があった。
【０００５】
そこで、本発明は、天井側遮蔽部材と床側遮蔽部材と側壁面側遮蔽部材とを容易に連動でき、迅速な遮蔽作動が可能な軽量・薄型の移動間仕切り壁の提供を目的とする。
【課題を解決するための手段】
【０００６】
上記目的を達成するために、本発明の移動間仕切り壁は、移動壁本体の上端縁部に上下移動可能に設けられ該上端縁部と室内の天井の間を遮蔽するための天井側遮蔽部材と、上記移動壁本体の下端縁部に上下移動可能に設けられ該下端縁部と室内の床の間を遮蔽するための床側遮蔽部材と、上記移動壁本体の左右一方の側端縁部に左右移動可能に設けられ該側端縁部と室内の左右一方の側壁面の間を遮蔽するための側壁面側遮蔽部材と、を備え、上記天井側遮蔽部材と上記床側遮蔽部材と上記側壁面側遮蔽部材とを、ラック・ピニオン機構にて連動連結したものである。
【０００７】
また、上記側壁面側遮蔽部材の側方移動寸法よりも上記天井側遮蔽部材の上方移動寸法を大きく設定し、該上方移動寸法よりも上記床側遮蔽部材の下方移動寸法を大きく設定して、上記側壁面側遮蔽部材が上記一方の側壁面に当接した後に、上記天井側遮蔽部材が上記天井に当接し、その後、上記床側遮蔽部材が上記床に当接するように構成したものである。
また、上記側壁面側遮蔽部材が上記一方の側壁面に当接した後に上記ラック・ピニオン機構の作動による該側壁面側遮蔽部材への移動ストロークを吸収する側方ストローク吸収手段と、上記天井側遮蔽部材が上記天井に当接した後に上記ラック・ピニオン機構の作動による該天井側遮蔽部材への移動ストロークを吸収する上方ストローク吸収手段と、を備えたものである。
【０００８】
また、上記天井側遮蔽部材と上記床側遮蔽部材と上記側壁面側遮蔽部材とを上記ラック・ピニオン機構を介して上記移動壁本体の外方へ弾発付勢する作動用弾発付勢部材と、該作動用弾発付勢部材の弾発力による上記ラック・ピニオン機構の作動を阻止するロック手段と、を備え、上記ロック手段の解除にて、上記天井側遮蔽部材と上記床側遮蔽部材と上記側壁面側遮蔽部材とが上記作動用弾発付勢部材によって上記外方へ移動するように構成したものである。
【発明の効果】
【０００９】
本発明によれば、天井側遮蔽部材と床側遮蔽部材と側壁面側遮蔽部材とを機械的に連動連結でき、遮蔽作業を容易かつ迅速に行なえると共に、各遮蔽部材に対応するように電動モータやセンサを複数設ける必要がなく、軽量・薄型に容易に製作できる。また、作動力の伝達ロスが少なくスムーズに効率良く強い力で各遮蔽部材を移動させ、天井や床、側壁面といった室内の内面に強い力をもって密着させて、確実に光や音を遮蔽できる。
【図面の簡単な説明】
【００１０】
【図１】本発明の実施の一形態を示し、非遮蔽状態の正面図である。
【図２】移動壁本体の非遮蔽状態の一例を示す要部断面正面図である。
【図３】移動壁本体の遮蔽状態の一例を示す要部断面正面図である。
【図４】ロック状態の要部正面図である。
【図５】ロック解除途中状態の要部正面図である。
【図６】ロック解除状態の要部正面図である。
【図７】ロック操作状態の要部正面図である。
【図８】ロック操作状態の要部正面図である。
【図９】遮蔽作動を説明するための要部正面図であって、（ａ）は非遮蔽状態の要部正面図であり、（ｂ）は遮蔽作動開始状態の要部正面図であり、（ｃ）は側壁面側遮蔽完了状態の要部正面図であり、（ｄ）は天井側遮蔽完了状態の要部正面図であり、（ｅ）は遮蔽完了状態の要部正面図である。
【発明を実施するための形態】
【００１１】
以下、図示の実施形態に基づき本発明を詳説する。
本発明に係る移動間仕切り壁は、図１に示すように、天井12から吊り下げられる複数枚の正面視長方形状の移動壁本体１，１を備え、吊下部材19によって天井12から吊下支持され、図示省略の天井側ガイドレールに沿って走行し、室内の左右一方の側壁面15から左右他方の側壁面16に向かって、室内を間仕切りするように平面視一直線状に配設される。
【００１２】
そして、複数枚の移動壁本体１，１の内、一方の側壁面15に最も近い左右一方の移動壁本体１Ａは、図２及び図３に示すように、上端縁部１ａに上下移動可能に設けられて上端縁部１ａと室内の天井12の間を遮蔽するための天井側遮蔽部材２と、下端縁部１ｂに上下移動可能に設けられ下端縁部１ｂと室内の床13の間を遮蔽するための床側遮蔽部材３と、左右一方の側端縁部１ｄに左右移動可能に設けられ側端縁部１ｄと室内の一方の側壁面15の間を遮蔽するための側壁面側遮蔽部材５と、を備えている。
【００１３】
天井側遮蔽部材２及び床側遮蔽部材３は、横断面コの字状の遮蔽本体部20，30を有し、非遮蔽状態で、遮蔽本体部20，30は、移動壁本体１Ａの正面壁部材10と背面壁部材11の間に内嵌状に収納されている。
側壁面側遮蔽部材５は、横断面コの字状の遮蔽本体部材50を有し、非遮蔽状態で、遮蔽本体部50は、移動壁本体１Ａの側端縁部１ｄに外嵌状に（正面壁部材10及び背面壁部材11を挟持するように）配設されている。
【００１４】
そして、天井側遮蔽部材２と床側遮蔽部材３と側壁面側遮蔽部材５とを、ラック・ピニオン機構６にて連動連結している。
ラック・ピニオン機構６は、天井側遮蔽部材２に上端部62ａが連結され上下方向に沿って形成されたラック部を有する角棒状の天井用ラック部材62と、床側遮蔽部材３に下端部63ｂが連結され上下方向に沿って形成されたラック部を有する角棒状の床用ラック部材63と、側壁面側遮蔽部材５の上部に左右一端部64ａが連結され左右方向に沿って形成されたラック部を有する角棒状の第１側壁面用ラック部材64と、側壁面側遮蔽部材５の下部に左右一端部65ａが連結され左右方向に沿って形成されたラック部を有する角棒状の第２側壁面用ラック部材65と、を備えている。
【００１５】
また、ラック・ピニオン機構６は、天井用ラック部材62及び床用ラック部材63と噛合して、天井用ラック部材62と床用ラック部材63とが互いに異なる上下方向へ移動するように連動させるための第１ピニオン66を備えている。
また、天井用ラック部材62及び第１側壁面用ラック部材64と噛合して、天井用ラック部材62の上昇に伴って第１側壁面用ラック部材64を左右一方向へ移動するように連動させると共に、天井用ラック部材62の下降に伴って第１側壁面用ラック部材64を左右他方向へ移動するように連動させるための第２ピニオン67を備えている。
また、床用ラック部材63及び第２側壁面用ラック部材65と噛合して、床用ラック部材63の下降に伴って第２側壁面用ラック部材65を左右一方向へ移動するように連動させると共に床用ラック部材63の上昇に伴って第２側壁面用ラック部材65を左右他方向へ移動するように連動させるための第３ピニオン68を備えている。
【００１６】
また、ラック・ピニオン機構６を介して、天井側遮蔽部材２と床側遮蔽部材３と側壁面側遮蔽部材５とを、移動壁本体１Ａの外方へ、つまり、天井側遮蔽部材２を天井側へ、床側遮蔽部材３を床側へ、側壁面側遮蔽部材５を側壁面15側へ、移動するように弾発付勢する作動用弾発付勢部材60を備えている。
【００１７】
作動用弾発付勢部材60はガススプリングから成り、各遮蔽部材２，３，５を作動させるための機械的な駆動源である。具体的には、作動用弾発付勢部材60は、天井用ラック部材62の下端部62ｂに連結され天井用ラック部材62を常時上方へ弾発付勢する１本のガススプリング60Ａと、床用ラック部材63の上端部63ａに連結され床用ラック部材63を常時下方へ弾発付勢する３本のガススプリング60Ｂと、である。
【００１８】
また、作動用弾発付勢部材60の弾発力によるラック・ピニオン機構６の作動を阻止するロック手段９を設けている。
ロック手段９は、第１ピニオン66に噛合するロック用ラック部材91を備え、そのロック用ラック部材91の移動を阻止することで、第１ピニオン66を回転不可能状態にして、ラック・ピニオン機構６の作動を阻止したロック状態とし、ロック用ラック部材91を移動可能とすることで第１ピニオン66を回転可能状態にして、ロック解除となるように構成している。ロック手段９の具体的な構成及び作用は後述する。
【００１９】
各ラック部材62，63，64，65のラックのピッチと、各ピニオン66，67，68の歯部のピッチは同等に形成し、ラック・ピニオン機構６が作動した際に、各ラック部材62，63，64，65の移動ストロークを同等（同じ）としている。
そして、側壁面側遮蔽部材５の側方移動寸法Ｓ５よりも天井側遮蔽部材２の上方移動寸法Ｓ２を大きくし、上方移動寸法Ｓ２よりも床側遮蔽部材３の下方移動寸法Ｓ３を大きく設定している。つまり、所定位置に配設された非遮蔽状態で、側壁面側遮蔽部材５と一方の側壁面15の間の側壁面側隙間寸法よりも、天井側遮蔽部材２と天井12の間の天井側隙間寸法が大きく、天井側隙間寸法よりも床側遮蔽部材３と床13の間の床側隙間寸法が大きくなるように、天井側遮蔽部材２と床側遮蔽部材３と側壁面側遮蔽部材５とを、移動壁本体１Ａに設けている。
【００２０】
さらに、側壁面側遮蔽部材５が側壁面15に当接した後にラック・ピニオン機構６の作動による側壁面側遮蔽部材５への第１・第２側壁面用ラック部材64，65の移動ストロークを吸収する側方ストローク吸収手段７と、天井側遮蔽部材２が天井12に当接した後にラック・ピニオン機構６の作動による天井側遮蔽部材２への天井用ラック部材62の移動ストロークを吸収する上方ストローク吸収手段８と、を設けて、側壁面側遮蔽部材５が側壁面15に当接した後に、天井側遮蔽部材２が天井12に当接し、その後、床側遮蔽部材３が床13に当接するように構成している。
【００２１】
側方ストローク吸収手段７は、側壁面側遮蔽部材５と第１側壁面用ラック部材64との間と、側壁面側遮蔽部材５と第２側壁面用ラック部材65との間と、に夫々、介設している。
側方ストローク吸収手段７は、第１・第２側壁面用ラック部材64，65の左右一端部64ａ，65ａに夫々設けられたシリンダロッド状の側方伝達部材71と、側方伝達部材71から左右一方向の作動力（押圧力）を受けて短縮する圧縮コイルバネ等の側方吸収用弾発付勢部材72，72と、備えている。
【００２２】
さらに、側方ストローク吸収手段７は、側方伝達部材71を左右方向スライド自在かつ左右他方向へ抜け止めして保持すると共に側方吸収用弾発付勢部材72を伸縮自在に保持する筒状の側方用ケース部73ａと、左右方向に走行するための複数の車輪73ｂと、側壁面側遮蔽部材５に固着される側方用連結部73ｃと、を有する走行車部材73を備えている。
また、走行車部材73の車輪73ｂをガイドする吸収用レール部74を備えている。レール部74は、移動壁本体１Ａの剛性を高めるための枠材の一部に設けている。
【００２３】
側方ストローク吸収手段７は、作動力を受けて、第１・第２側壁面用ラック部材64，65が左右一方へ移動すると、側方伝達部材71と側方吸収用弾発付勢部材72を介して、走行車部材73を左右一方向へ移動させて、側壁面側遮蔽部材５を側壁面15に当接させる。当接後に、側壁面15の反力を受けて走行車部材73が移動不可能となり、第１・第２側壁面用ラック部材64，65から作動力を受けて左右一方向へ移動する側方伝達部材71の移動ストロークを側方吸収用弾発付勢部材72が短縮することで吸収するように構成している。
【００２４】
上方ストローク吸収手段８は、天井側遮蔽部材２と天井用ラック部材62との間に介設されている。上方ストローク吸収手段８は、天井用ラック部材62の上端部62ａに設けられたシリンダロッド状の天井用伝達部材81と、天井用伝達部材81から上方へ作動力（押圧力）を受ける圧縮コイルバネ等の上方吸収用弾発付勢部材82と、天井用伝達部材81を上下方向スライド自在かつ下方向へ抜け止めして保持する共に上方吸収用弾発付勢部材82を伸縮自在に保持して天井側遮蔽部材２に取着される天井用取付部材83と、を備えている。
【００２５】
上方ストローク吸収手段８は、作動力を受けて、天井用ラック部材62が上方へ移動すると、天井用伝達部材81と上方吸収用弾発付勢部材82を介して、天井側遮蔽部材２を移動させて天井12に当接させる。当接後に、天井用ラック部材62から作動力を受けて上方へ移動する天井用伝達部材81の移動ストロークを上方吸収用弾発付勢部材82が短縮することで吸収するように構成している。
【００２６】
また、天井用ラック部材62が受けた作動力を天井用伝達部材81へ伝達するのを遅らせるための天井側時差作動手段25と、床用ラック部材63が受けた作動力を床側遮蔽部材３に固着された床用伝達部材39へ伝達するのを遅らせるための床側時差作動手段35と、を備えている。
【００２７】
天井側時差作動手段25は、天井用ラック部材62と天井用伝達部材81の間に設けられている。天井用ラック部材62及び天井用伝達部材81の一方に形成される天井用縦長孔部26と、他方に設けられ天井用縦長孔部26にスライド自在に差し込まれる天井用差込ピン部27とから成る。天井用差込ピン部27が天井用縦長孔部26内の上下一端縁部から上下他端縁部へ相対的にスライドすることで、天井用ラック部材62が受けた作動力を天井用伝達部材81へ伝達するのを遅らせるように設けている。
また、天井側遮蔽部材２は、自重で下降しないように、移動壁本体１Ａの正面壁部材10と背面壁部材11の内面側に設けた図示省略の天井側摩擦部材にて挟持されている。
【００２８】
天井側時差作動手段25は、具体的には、天井用ラック部材62の上端部62ａに天井用縦長孔部26を貫設し、天井用伝達部材81の下端部に天井用差込ピン部27を突設して、図２の非遮蔽状態で、天井用縦長孔部26の上端縁部に天井用差込ピン部27を配設し、天井用ラック部材62の上昇によって天井用縦長孔部26の下端縁部が天井用差込ピン部27に当接するまで、上昇するための作動力を伝達しないように構成して、ラック・ピニオン機構６が作動用弾発付勢部材60によって作動した際に、側壁面側遮蔽部材５よりも天井側遮蔽部材２の動き出しを遅くするように構成している。
【００２９】
床側時差作動手段35は、床側遮蔽部材３に固着され床用ラック部材63の下端部63ｂと連結するための床用伝達部材39と、床用ラック部材63と、の間に設けられている。床用ラック部材63及び床用伝達部材39の一方に形成される床用縦長孔部36と、他方に設けられ床用縦長孔部36にスライド自在に差し込まれる床用差込ピン部37とから成る。
床用差込ピン部37が床用縦長孔部36内の上下一縁端から上下他縁端へ相対的にスライドすることで、床用ラック部材63が受けた作動力を床用伝達部材39へ伝達するのを遅らせるように設けている。
また、床側遮蔽部材３は、自重で下降しないように、移動壁本体１Ａの正面壁部材10と背面壁部材11の内面側に設けた図示省略の床側摩擦部材にて挟持（保持）されている。
【００３０】
床側時差作動手段35は、具体的には、床用ラック部材63の下端部63ｂに床用縦長孔部36を貫設し、床用伝達部材39の上端部に床用差込ピン部37を突設して、図２の非遮蔽状態で、床用縦長孔部36の下端部に床用差込ピン部37を配設し、床用ラック部材63の降下によって床用縦長孔部36の上端縁部が床用差込ピン部37に当接するまで、降下するための作動力を伝達しないように構成している。
【００３１】
また、移動壁本体１Ａは、天井12と一方の側壁面15が接する上隅部17を遮蔽するための上隅部側遮蔽部材51と、床13と一方の側壁面15が接する下隅部18を遮蔽するための下隅部側遮蔽部材52と、を備えている。
【００３２】
上隅部側遮蔽部材51は、天井側遮蔽部材２の左右一端部に左右方向スライド自在に設けられ、かつ、側壁面側遮蔽部材５の上端部に上下方向スライド自在に設けられている。
そして、側壁面側遮蔽部材５と共に左右一方向へ移動し、天井側遮蔽部材２と共に上方向へ移動して、側壁面15の上部に当接すると共に天井12の左右一端部に当接して、上隅部17を遮蔽するように設けている。
【００３３】
下隅部側遮蔽部材52は、床側遮蔽部材３の左右一端部に左右方向スライド自在に設けられ、かつ、側壁面側遮蔽部材５の下端部に上下方向スライド自在に向けられている。
そして、側壁面側遮蔽部材５と共に左右一方向へ移動し、床側遮蔽部材３と共に下方向へ移動して、側壁面15の下部に当接すると共に床13の左右一端部に当接して、下隅部18を
遮蔽するように設けている。
【００３４】
次に、ロック手段９の構成及び作用について説明する。
図２と図３及び図４に於て、ロック手段９は、第１ピニオン66に噛合するように左右方向に沿って形成されるラック部を有する角棒状のロック用ラック部材91を備えている。
ロック用ラック部材91は、作動用弾発付勢部材60の弾発力によって第１ピニオン66が回転しようとする際に、第１ピニオン66から左右一方向への引張力（作動力）Ｆａを受けるように配設されている。
【００３５】
図４に於て、ロック手段９は、ロック用ラック部材91と、ロック用ラック部材91の左右他端部91ｂに枢着された揺動節部材92と、揺動節部材92の左右一端部92ａに下端部93ｂが枢着され中間部93ｃが（移動壁本体１の固定部に）枢支され上端部93ａにロック用切欠部93ｄを有するＬ字状の揺動ロック部材93と、ロック状態でロック用切欠部93ｄに入り込んで揺動ロック部材93の枢支軸心Ｌａ廻りの揺動を阻止する係合凸部94ｄを有すると共に左右方向に走行するための車輪94ｆを有する（左右方向スライド自在な）ロック用スライド部材94と、車輪94ｆが走行するためのロック用レール部97と、ロック用スライド部材94を常時左右他方向へ弾発付勢する引張コイルバネ等のロック用弾発付勢部材95と、枢支軸心Ｌａ廻りに揺動自在に設けられたロック操作用レバー96と、を備えている。
【００３６】
揺動ロック部材93の切欠部93ｄは、係合凸部94ｄが係合した状態（ロック状態）で、左右一方向へ開口するコの字状に形成されている。
また、ロック用弾発付勢部材95は、ロック状態で、係合凸部94ｄが切欠部93ｄから離脱しないように左右他方向へ押し込むようにスライド部材94を弾発付勢する。そして、揺動ロック部材93は、切欠部93ｄ内に係合凸部94ｄが係合されることで、枢支軸心Ｌａ廻りの揺動が阻止され、下端部93ｂは、ロック用ラック部材91を引張力Ｆａに抗する方向へ引き込んだ位置に保持する。つまり、ロック状態で、ロック用ラック部材91は、ガススプリング60Ａ，60Ｂが短縮状態で保持されるように第１ピニオン66の回転を阻止する。
【００３７】
ロック手段９は、図５に示すように、スライド部材94のロック解除用操作部94ｅを介して、操作者から左右一方向のスライド操作力Ｆｅを受けると、スライド部材94がロック用弾発付勢部材95の弾発力に抗して左右一方向へ移動し、係合凸部94ｄが、切欠部93ｄから離脱し、揺動ロック部材93が枢支軸心Ｌａ廻りに揺動自在となって、ロック用ラック部材91が左右一方向へ移動可能となり、第１ピニオン66が回転可能となってガススプリング60Ａ，60Ｂが伸長して、ラック・ピニオン機構６が作動する（ロック解除状態となる）。
【００３８】
ロック手段９は、使用者がスライド部材94の操作を止めると（スライド操作力Ｆｅを解除すると）、スライド部材94は、ロック用弾発付勢部材95によって左右他方向へ移動し、係合凸部94ｄはロック状態のときの位置を通過するように左右他方向へ移動するが、ロック用ラック部材91が、引張力Ｆａを受けて、揺動ロック部材93の下端部93ｂを左右一方向へ移動させ、上端部93ａを枢支軸心Ｌａ廻りに揺動させるため、切欠部93ｄはロック状態の位置になく、係合凸部94ｄと切欠部93ｄは係合せず、ロック状態とならない。
ロック解除操作後は、図３に示すように、床側遮蔽部材３が床13に当接して、床用ラック部材63の移動が止まると、第１ピニオン66の回転が阻止され、ロック用ラック部材91の移動が止まって、図６のロック解除状態となる。
【００３９】
また、ロック手段９を、図６のロック解除状態から、再び図４のロック状態にするロック操作は、ロック操作用レバー96を枢支軸心Ｌａ廻りに揺動させ、ロック操作用レバー96に設けられた当り凸部96ａを、スライド部材94及び揺動ロック部材93に押し当てて、スライド部材94を左右一方向へ移動させると共に、揺動ロック部材93を枢支軸心Ｌａ廻りに揺動させ、ロック用ラック部材91を引張力Ｆａに抗して引き込む。
【００４０】
このロック操作用レバー96の操作力にて、ロック用ラック部材91を引張力Ｆａに抗して引き込んで、第１ピニオン66を作動用弾発付勢部材60の弾発力に抗する方向に回転（作動開始と反回転）させ、ガススプリング60Ａ，60Ｂを短縮させると共に、天井側遮蔽部材２を下方へ、床側遮蔽部材３を上方へ、側壁面側遮蔽部材５を左右他方へ（各遮蔽部材２，３，５，51，52を内方へ）移動させる。
【００４１】
さらに、図７に示すように、ロック操作用レバー96を揺動させ、揺動ロック部材93の切欠部93ｄ近傍に設けたガイド勾配面93ｅに係合凸部94ｄを摺接させつつ押圧して、スライド部材94を左右一方向へ移動させる。図８に示すように、切欠部93ｄが左右一方向に開口するコノ字となるように配設されると、スライド部材94はロック用弾発付勢部材95の引張力を受けて係合凸部94ｄが切欠部93ｄ内に落ち込むように移動して係合し、係合凸部94ｄが揺動ロック部材93の揺動を規制したロック状態となる。その後、ロック操作用レバー部材96を、操作前の姿勢に戻して図４の状態となる。
【００４２】
次に、本発明の移動仕切り壁の使用方法（作動）について説明する。
図１に示すように、複数枚の移動壁本体１，１が平面視一直線状に配設された遮蔽準備状態に於て、各移動壁本体１，１と天井12の間には走行のために設けた隙間が形成されると共に、各移動壁本体１と床13との間に走行のために設けた隙間が形成される。他方の側壁面16近傍に配設された左右他方の移動壁本体１Ｂは、他方の側壁面16に当接されている。隣り合う移動壁本体１，１同士は当接している。
そして、一方の側壁面15に接近して（近傍に）配設された左右一方の移動壁本体１Ａは、一方の側壁面15との間に配設のための隙間が形成されている。
【００４３】
移動壁本体１Ａは、図２に示す非遮蔽状態から、ロック手段９のロック解除用操作部94ｅを操作すると、ロック解除状態となってロック用ラック部材91が移動自在となり、第１ピニオン66が回転自在となる。
作動用弾発付勢部材60が伸長し、天井用ラック部材62を押し上げると共に、床用ラック部材63を降下させる。天井用ラック部材62は上昇に伴って第２ピニオン67を回転させ、第１側壁面用ラック部材64を左右一方向へ移動させる。床用ラック部材63は降下に伴って第３ピニオン68を回転させ、第２側壁面用ラック部材65を左右一方向へ移動させる。
【００４４】
各ラック部材62，63，64，65のラック歯のピッチと、各ピニオン66，67，68の歯部（ギヤ）のピッチは同等に形成されており、同寸法移動する。
しかし、天井側遮蔽部材２は、天井側時差作動手段25によって、天井用ラック部材62の天井用縦長孔部26の下端縁部が、天井用伝達部材81の天井用差込ピン部27に当接するまで作動力が伝達されず、上昇しない。
また、床側遮蔽手段３は、床側時差作動手段35によって、床用ラック部材63の床用縦長孔部36の上端縁部が、床用伝達部材39の床用差込ピン部36に当接するまで作動力が伝達されず降下しない。
つまり、図９（ａ）の非遮蔽状態から、図９（ｂ）に示すように、先ず、側壁面側遮蔽部材５が左右一方向に移動開始する。
【００４５】
さらに、ラック・ピニオン機構６が作動すると、天井用縦長孔部26の下端縁部が、天井用差込ピン部27に当接して、天井側遮蔽部材２の上昇が開始する。
また、床用縦長孔部36の上端縁部が、床用差込ピン部37に当接して、床側遮蔽部材３が降下する。
【００４６】
その後、図９（ｃ）に示すように、先ず、側壁面側遮蔽部材５が一方の側壁面15に当接して遮蔽する。また、側壁面側遮蔽部材５の移動に伴って左右一方向へ引き出された上隅部側遮蔽部材51及び下隅部側遮蔽部材52が一方の側壁面15に当接して遮蔽する。
【００４７】
図３に示すように、側壁面側遮蔽部材５が一方の側壁面15に当接後に、ラック・ピニオン機構６の作動によって第１・第２側壁面用ラック部材64，65が左右一方に移動しても、側方ストローク吸収手段７の側方吸収用弾発付勢部材72が短縮され側方への移動ストロークが吸収される。
また、側方吸収用弾発付勢部材72によって、一方の側壁面15に僅かな傾きがあっても、側壁面側遮蔽部材５を側壁面15に沿わせて隙間なく強い密着力で遮蔽することができる。
【００４８】
そして、図９（ｄ）に示すように、天井側遮蔽部材２が天井12に当接して遮蔽する。また、天井側遮蔽部材２の移動に伴って上方へ引き出された上隅部側遮蔽部材51が天井12に当接して遮蔽する。
【００４９】
図３に示すように、天井側遮蔽部材２が天井12に当接後に、ラック・ピニオン機構６の作動によって天井用ラック部材62が上方へ移動しても、上方ストローク吸収手段８の上方吸収用弾発付勢部材82が短縮され上方への移動ストロークが吸収される。
【００５０】
最後に、図９（ｅ）に示すように、床側遮蔽部材３が床13に当接して遮蔽する。また、床側遮蔽部材３の移動に伴って下方へ引き出された下隅部側遮蔽部材52が床13に当接して遮蔽する。図３に示すように、床13の反力を受けて床用ラック部材63が停止し、ラック・ピニオン機構６の作動が作動用弾発付勢部材60に抗して停止し、遮蔽完了状態となる。
【００５１】
このように、一方の側壁面15に先に当接させることで、図１に示す間仕切り遮蔽準備状態に於て、他方の側壁面16近傍に配設された移動壁本体１Ｂ及び、中間に配設される複数の移動壁本体１Ｃ，１Ｃを、左右他方側へ寄せて、強い力で密着させ、吊り持ちによる傾きを適正な姿勢にした後に、天井12や床13側を確実かつ適切に遮蔽できる。
【００５２】
また、図１に示す間仕切り遮蔽準備状態（非遮蔽状態）に於て、他方の側壁面16近傍に配設された移動壁本体１Ｂ及び、複数枚の中間の移動壁本体１Ｃ，１Ｃは、図示省略するが、ラック・ピニオン機構にて連動連結された天井側遮蔽部材２と床側遮蔽部材３とを有すると共に、ロック手段９を有し、左右側方へ移動自在な遮蔽部材を省略している。
左右一方の移動壁本体１Ａの遮蔽完了後に、左右他方の移動壁本体１Ｂ及び中間の移動壁本体１Ｃ，１Ｃのロックを解除し、天井側遮蔽部材２と床側遮蔽部材３を作動させて、室内の間仕切り遮蔽を完了する。
【００５３】
また、遮蔽を解除する場合は、図３の遮蔽完了状態からロック手段９のロック操作用レバー96を操作して、ロック用ラック部材91を左右他方向へ移動させる。第１ピニオン66を、作動用弾発付勢部材60の弾発力に抗する方向へ回転させ（遮蔽開始と反対に回転）させ、作動用弾発付勢部材60を短縮させつつ、天井用ラック部材62を降下させ、床用ラック部材63を上昇させて、第２，３ピニオン67，68を遮蔽開始と反回転させ、第１・第２側壁面用ラック部材64，65を左右他方へ引き戻す。そして、遮蔽する際と逆の順序、つまり、先ず、床側遮蔽部材３が上昇し、次に天井側遮蔽部材２が降下し、最後に側壁面側遮蔽部材５が左右他方へ移動して、図２の非遮蔽状態となる。
【００５４】
なお、本発明は、設計変更可能であって、ガススプリング60（60Ａ，60Ｂ）の本数は自由である。
また、図示省略したが、天井側遮蔽部材２は遮蔽本体部20の天井側面に、床側遮蔽部材３は遮蔽本体部30の床側面に、側壁面側遮蔽部材５は遮蔽本体部50の左右一方の側壁面側に、シール用パッキン部材を有している。なお、本発明に於て側壁面15，16とは、壁や柱、ロッカーや棚等の家具等の面である。
【００５５】
以上のように、本発明の移動仕切り壁は、移動壁本体１Ａの上端縁部１ａに上下移動可能に設けられ該上端縁部１ａと室内の天井12の間を遮蔽するための天井側遮蔽部材２と、移動壁本体１Ａの下端縁部１ｂに上下移動可能に設けられ下端縁部１ｂと室内の床13の間を遮蔽するための床側遮蔽部材３と、移動壁本体１Ａの左右一方の側端縁部１ｄに左右移動可能に設けられ側端縁部１ｄと室内の左右一方の側壁面15の間を遮蔽するための側壁面側遮蔽部材５と、を備え、天井側遮蔽部材２と床側遮蔽部材３と側壁面側遮蔽部材５とを、ラック・ピニオン機構６にて連動連結したので、天井側遮蔽部材２と床側遮蔽部材３と側壁面側遮蔽部材５とを機械的に連動連結でき、遮蔽作業を容易かつ迅速に行なえると共に、各遮蔽部材２，３，５に対応するように電動モータやセンサを複数設ける必要がなく、軽量・薄型に容易に製作できる。また、作動力の伝達ロスが少なくスムーズに効率良く強い力で各遮蔽部材２，３，５を移動させることができ、天井12や床13、側壁面15である室内の内面に強い力をもって密着させ、確実に光や音を遮蔽できる。
【００５６】
また、側壁面側遮蔽部材５の側方移動寸法Ｓ５よりも天井側遮蔽部材２の上方移動寸法Ｓ２を大きく設定し、上方移動寸法Ｓ２よりも床側遮蔽部材３の下方移動寸法Ｓ３を大きく設定して、側壁面側遮蔽部材５が一方の側壁面15に当接した後に、天井側遮蔽部材２が天井12に当接し、その後、床側遮蔽部材３が床13に当接するように構成したので、側壁面15が傾いていても側壁面側遮蔽部材５を沿うように密着させることができる。隣の移動壁本体１の側面に当接してお互いが密着した後、天井12側と床13側を遮蔽でき、移動壁本体同士の間や、各遮蔽部材２，３，５と室内の内面と間に、隙間が形成されるのを確実に防止できる。
【００５７】
また、側壁面側遮蔽部材５が一方の側壁面15に当接した後にラック・ピニオン機構６の作動による側壁面側遮蔽部材５への移動ストロークを吸収する側方ストローク吸収手段７と、天井側遮蔽部材２が天井12に当接した後にラック・ピニオン機構６の作動による天井側遮蔽部材２への移動ストロークを吸収する上方ストローク吸収手段８と、を備えたので、高価なセンサや制御機器等を用いず、複雑な配線も不要で、容易に製作できる。電気的な制御に頼らず、機械的な制御が可能で、停電等の災害時にも使用できる。
【００５８】
また、天井側遮蔽部材２と床側遮蔽部材３と側壁面側遮蔽部材５とをラック・ピニオン機構６を介して移動壁本体１Ａの外方へ弾発付勢する作動用弾発付勢部材60と、作動用弾発付勢部材60の弾発力によるラック・ピニオン機構６の作動を阻止するロック手段９と、を備え、ロック手段９の解除にて、天井側遮蔽部材２と床側遮蔽部材３と側壁面側遮蔽部材５とが作動用弾発付勢部材60によって外方へ移動するように構成したので、作動用の電気モータを設ける必要がなく、電源等の配線も必要なく容易に製作できる。また、モータ等の作動音が無く、静かに作動させることができる。電気的な駆動に頼らず、機械的な駆動が可能で、停電等の災害時にも使用できる。
【符号の説明】
【００５９】
１Ａ  移動壁本体
１ａ  上端縁部
１ｂ  下端縁部
１ｄ  側端縁部
２  天井側遮蔽部材
３  床側遮蔽部材
５  側壁面側遮蔽部材
６  ラック・ピニオン機構
７  側方ストローク吸収手段
８  上方ストローク吸収手段
９  ロック手段
12  天井
13  床
15  一方の側壁面
60  作動用弾発付勢部材
Ｓ２  上方移動寸法
Ｓ３  下方移動寸法
Ｓ５  側方移動寸法
【図１】
2014101657.tif 000003
【図２】
2014101657.tif 000004
【図３】
2014101657.tif 000005
【図４】
2014101657.tif 000006
【図５】
2014101657.tif 000007
【図６】
2014101657.tif 000008
【図７】
2014101657.tif 000009
【図８】
2014101657.tif 000010
【図９】
2014101657.tif 000011